(57)【要約】  本発明は、導管と一体化した第１把持顎（１００）と、可動芯（３００）によって作動されて横方向に移動する第２可動把持顎（２００）と、を備える連接アセンブリを備える、湾曲した針を操作するための持針器であって、  上記顎（１００、２００）は、上記可動芯（３００）に対して同軸の円筒形の部品で構成され、  上記第１顎（１００）は、長手方向に伸びる複数の周辺歯（１２０、１３０、１４０）を有し、  上記第２顎（２００）は、複数の周辺歯（２２０、２３０、２４０）を有する円筒形の部品で構成され、  上記第２顎（２００）は、上記第１顎（１００）に対して、休止位置と閉鎖位置とのあいだを長手方向に直線移動可能であり、該休止位置では、顎（１００、２００）は間隔を空け、それにより、歯の端同士のあいだに、針（４００）の断面に少なくとも等しい空間を定め、該閉鎖位置では、顎（１００、２００）は該針（４００）を湾曲させて保持する、内視鏡持針器に関する。
2019526428.tif 000002
【特許請求の範囲】
【請求項１】
湾曲した針を操作するための内視鏡持針器であって、上記持針器の一方の端部に配置された遠隔作動機構と、他方の端部に配置された連接アセンブリと、を備え、該連接アセンブリは、導管と一体化した第１把持顎と、可動芯によって作動されて横方向に移動する第２可動把持顎と、を備える、持針器であって、
上記顎（１００、２００）は、上記可動芯（３００）に対して同軸の円筒形の部品で構成され、
上記第１顎（１００）は、長手方向に伸びる複数の周辺歯（１２０、１３０、１４０）を有し、
上記第２顎（２００）は、複数の周辺歯（２２０、２３０、２４０）を有する円筒形の部品で構成され、
上記第２顎（２００）は、上記第１顎（１００）に対して、休止位置と閉鎖位置とのあいだを長手方向に直線移動可能であり、該休止位置では、顎（１００、２００）同士は間隔を空け、それにより、歯の端同士のあいだに、針（４００）の断面に少なくとも等しい空間を定め、該閉鎖位置では、顎（１００、２００）同士は該針（４００）を湾曲させて保持する、ことを特徴とする、内視鏡持針器。
【請求項２】
上記第２顎（２００）の上記周辺歯（２２０、２３０、２４０）は、上記第１顎（１００）の上記歯（１２０、１３０、１４０）に対して角度がずれていることを特徴とする、請求項１に係る内視鏡持針器。
【請求項３】
上記顎（１００、２００）は、周辺歯と、反対側の顎の歯に対して相補的な形状および位置の周辺溝とが交互に配置されていることを特徴とする、請求項１に係る内視鏡持針器。
【請求項４】
上記歯は、横断面において多角形の断面を有することを特徴とする、請求項１に係る内視鏡持針器。
【請求項５】
顎は、それぞれ、３つの歯および上記相補的な顎の上記歯を受けるための３つの溝を有することを特徴とする、請求項１に係る内視鏡持針器。
【請求項６】
上記歯の外面は半円筒形であることを特徴とする、請求項１に係る内視鏡持針器。
【請求項７】
上記歯の包絡面は、上記顎の断面と同一の断面を有することを特徴とする、請求項１に係る内視鏡持針器。
【請求項８】
上記歯の包絡面は、上記顎の断面よりも小さい断面を有することを特徴とする、請求項１に係る内視鏡持針器。
【請求項９】
上記歯の包絡面は、上記顎の断面より大きい断面を有することを特徴とする、請求項１に係る内視鏡持針器。
【請求項１０】
上記第２顎は、半球形の端部を有することを特徴とする、請求項１に係る内視鏡持針器。
【請求項１１】
半径平面における上記歯の断面は、長方形であることを特徴とする、請求項１に係る内視鏡持針器。
【請求項１２】
半径平面における上記歯の断面は、傾斜した内端を有することを特徴とする、請求項１に係る内視鏡持針器。
【請求項１３】
半径平面における上記歯の断面は、上記歯の端部と上記歯の基部との間で徐々に幅が小さくなる鋸壁状の内端を有することを特徴とする、請求項１に係る内視鏡持針器。
【請求項１４】
半径平面における上記歯の断面は、広がった上端部を有することを特徴とする、請求項１に係る内視鏡持針器。
【請求項１５】
上記歯の少なくとも一部分は弾力的に変形可能であるとともに広がった端部を有することを特徴とする、請求項１に係る内視鏡持針器。
【請求項１６】
上記歯は上記顎の管状の筐体を切断することによって形成されることを特徴とする、請求項１に係る内視鏡持針器。
【請求項１７】
上記第１顎は、上記可動芯の断面に相補的な多角形の断面の中心通路を有することを特徴とする、請求項１に係る内視鏡持針器。
【請求項１８】
上記歯の少なくともいくつかは軸方向に可動であることを特徴とする、請求項１に係る内視鏡持針器。
【請求項１９】
上記歯の端部は、上記顎の接平面において斜面を有することを特徴とする、請求項１に係る内視鏡持針器。
【請求項２０】
上記顎のそれぞれは、相補的な斜面を有する歯を備え、上記第２顎は上記第１顎に対して自由に回転し、かつ、上記相補的な歯の上記斜面を合わせることを目的とするトルクを有する弾性手段を備えることを特徴とする、請求項１から１９に係る内視鏡持針器。
【請求項２１】
電動システムに接続されるように構成された端部を備えることを特徴とする、請求項１に係る内視鏡持針器。
【発明の詳細な説明】
【技術分野】
【０００１】
この発明は、侵襲が最少の内視鏡手術または腹腔鏡検査法における、把持および縫合用の持針器の分野に関する。
【０００２】
このような持針器は、２つの連接顎を有し、シャフトの端部に設置される鉗子で、通常構成される。顎のうち一方は固定位置にあり、他方は針の把持面を有する内視鏡の取っ手によって動かされる。
【０００３】
腹腔鏡検査法では、鉗子は単独で使用される。可撓性内視鏡検査では、可撓性内視鏡を通して鉗子が挿入される。
【０００４】
本発明は、より具体的には、可撓性内視鏡検査、腹腔鏡検査、およびそれらのロボット利用バージョンに適用される、湾曲した縫合針の内視鏡操作用の持針器に関する。
【０００５】
当該湾曲した針は、針を保持する一組の顎の内側で回転しがちであるため、このような針の扱いは、経験豊富な外科医でさえも難しい。
【先行技術】
【０００６】
例えば、軸と、一端が開閉機構によって制御された一組の顎とで構成された腹腔鏡持針器を記載している米国特許第５２５７９９９号が知られている。顎の把持面は、湾曲した外科用縫合針に適合するように内側に湾曲している。一方の顎は凸形状を有するが、他方の顎は、対応する凹形状を有する。内側に湾曲した顎の把持面の形状により、湾曲した外科用縫合針は所望の縫合位置に自動的に導かれる。また、一組の顎の形状により、腹腔鏡手術の縫合処理の間、湾曲した外科用縫合針を離したり再度掴んだりするのが容易になる。
【０００７】
同様に知られているのは、可撓性針を把持して内側に湾曲した静止状態にするための縫合装置について記載している米国特許第８４８０６８９号である。
【０００８】
同様に知られているのは、近接端部に配置された取っ手と、遠位端に配置された針受で構成される医療用持針器に関する米国特許出願第２０１１１９０７９４号に記載されている解決策である。針受は、互いの把持面に面しているとともにキャリアの長手方向軸への横断方向に伸びる、第１把持面および第２把持面を有する。把持面は、取っ手を介して、支持体の長手軸方向に互いに相対的に可動である。
【０００９】
米国特許出願第２０１１２７０２８１号は、近接端部および遠位端を有する細長い本体部分を有する持針器の別の例を開示している。回転ヘッドが、本体部分の遠位端部に配置されている。作動部材は本体部分の近接端部に配置されるように構成されている。アクチュエータは、取っ手アセンブリと機能的に連携しており、回転ヘッドの回転運動を可能にする。回転ヘッドは、回転ヘッドに関連して移動する針とさらに連携する。
先行技術の不利点
先行技術の解決策では、外科医は、針を２つの顎の間にはめ込み、それから、これらの顎を針に対して閉じるために、顎（通常は横軸で連接している）を角度を付けて導く必要がある。
【００１０】
顎を、角度をつけて深く導く第１段階は、非常に細心の注意を要することがあり、数十分もの試行錯誤を時に要する。これは特に、把持する対象の針が内視鏡で見えにくい領域にある場合、または不便な位置にある場合である。先行技術の解決策では、針の把持は、顎同士の対称面およびこの面内での中心線から２つの顎の間の空間への方向に対応する、正確な半径方向に行われる。外科医が顎を、針に対して角度を付けて長手方向に位置決めできた場合であっても、外科医は、さらに、半径方向の動きを調節して針を顎同士の間の正確な高さに位置決めしなければならない。これらの処置は、針が極めて見えにくく、かつ、外科医が試行錯誤の進み具合がほとんどわからない内視鏡手術において特に細心の注意を要する。
【００１１】
また、米国特許出願第２０１１９０７９４号または米国特許出願第２０１１２７０２８１号によって提案された解決策も不十分である。なぜなら、針の保持がほとんどうまくいかず、針に組織を突き通らせようとするや否や外れる傾向にあるためである。
本発明によって提供される解決策
これらの欠点を改善するために、本発明は、最も一般的な意味では、湾曲した針を操作するための内視鏡持針器であって、上記持針器の一方の端部に配置された遠隔作動機構と、他方の端部に配置された連接アセンブリと、を備え、該連接アセンブリは、導管と一体化した第１把持顎と、可動芯によって作動されて横方向に移動する第２可動把持顎と、を備える、持針器であって、
上記顎は、上記可動芯に対して同軸の円筒形の部品で構成され、
上記第１顎は、長手方向に伸びる複数の周辺歯を有し、
上記第２顎は、上記第１顎の上記歯に対して角度がずれている複数の周辺歯を有する円筒形の部品で構成され、
上記第２顎は、上記第１顎に対して、休止位置と閉鎖位置とのあいだを長手方向に直線移動可能であり、該休止位置では、顎同士は間隔を空け、それにより、歯の端同士のあいだに、針の断面に少なくとも等しい空間を定め、該閉鎖位置では、顎同士は該針を湾曲させて保持する、ことを特徴とする、内視鏡持針器に関する。
【００１２】
第１顎は、横方向の移動に関して固定されるが、それでもなお、上記管に対して上記長手軸を中心として回転する自由度を有してもよい。第１顎は、上記管に対して横方向の移動を抑制されるとともに、上記第２顎に対して回転を抑制される（例えば、多角形の軸を用いて）。
【００１３】
実施形態によれば、歯は、顎に対して固定される、または弾力的に引っ込めることができる。
【００１４】
変形例によれば、上記第１顎は、上記前面に対して垂直に伸びる複数の周辺歯を備えられた横前面を有する。
上記第２顎は、複数の周辺歯を備えられた横断面を有する円筒形の部品で構成される。
上記顎同士は、休止位置と閉鎖位置とのあいだを長手方向に直線移動可能であり、該休止位置では、顎同士は間隔を空け、それにより、歯の端同士のあいだに、針の断面に少なくとも等しい空間を定め、該閉鎖位置では、顎同士は該針を湾曲させて保持する。
【００１５】
本発明によって提案される解決策では、把持端部は、針が特定の半径方向に位置することをもはや要しない円形形状を有する。２つの顎の間を通る横断平面内で針がどこに位置していようと、針は１つ以上の歯によって引っ掛けることができ、それから顎同士を接近させることにより、針をしっかりと把持し固定することができる。
【００１６】
一変形例によれば、第２顎の歯は第１顎の歯に対して角度がずれている。
【００１７】
好ましくは、上記顎は、周辺歯と、反対側の顎の歯に対して相補的な形状および位置の周辺溝とが交互に配置されている。
【００１８】
好都合な変形例によれば、横断面における上記歯は、多角形の断面を有する。
【００１９】
特定の実施形態によれば、顎は、それぞれ、３つの歯および上記相補的な顎の上記歯を受けるための３つの溝を有する。
【００２０】
好都合な変形例によれば、上記歯の外面は半円筒形である。
【００２１】
様々な変形例によれば、以下の通りである。
上記歯の包絡面は、上記顎の断面と同一の断面を有する。このため、外面は、対応する顎の周辺に伸び、外周面に凹凸がないようになっている。
上記歯の包絡面は、上記顎の断面よりも小さい断面を有する。この場合、歯は、対応する顎の周辺から奥まった所に置かれており、これにより、歯の端部が、内視鏡の端部と接触する組織を傷つけないようになっている。
上記歯の包絡面は、上記顎の断面より大きい断面を有する。この場合、歯は、対応する顎の周辺から突き出ている。これにより、湾曲した針が顎に近い場合に、湾曲した針の取り付けが可能になる。
【００２２】
変形例によれば、上記第２顎は、半球形の端部を有する。これにより、持針器の遠位端を中空臓器に導入するのが容易になる。
【００２３】
様々な変形例によれば、半径平面における上記歯の断面は、以下の形状を有する。
【００２４】
長方形の形状。
【００２５】
顎を閉じる工程中に針を動かすように傾斜した内端。
【００２６】
上記歯の端部と上記歯の基部との間で徐々に幅が小さくなる鋸壁状の内端。
【００２７】
広がった上端部。
【００２８】
後者の２つの場合、変形例は、２つの顎の間に係合された針の保持力を向上させる。
【００２９】
特定の変形例によれば、上記歯の少なくとも一部分は、弾力的に変形可能であるとともに湾曲した端部を有する。
【００３０】
この場合、これらの歯は、より大きな断面を有する針を用いるために、または、針を特定の位置に合わせる場合に、引っ込めて効果をなくすことができる。
【００３１】
一変形例によれば、歯と顎の面との間の角度は異なる、および／または、歯の外形は異なる。
【００３２】
他の実施形態によれば、上記歯は上記顎の管状の筐体を切断することによって形成される。この場合、横断面は、切断形状の端部で構成される。
【００３３】
特定の変形例によれば、上記第１顎は、上記可動芯の断面に相補的な多角形の断面の中心通路を有する。
【００３４】
他の変形例によれば、上記歯の少なくともいくつかは軸方向に可動である。
【００３５】
特定の実施形態によれば、上記歯の端部は、上記顎の接平面において斜面を有する。
【００３６】
上記顎のそれぞれは、相補的な斜面を有する歯を備え、上記第２顎は上記第１顎に対して自由に回転し、かつ、上記相補的な歯の上記斜面を合わせることを目的とするトルクを有する弾性手段を備えるのが好都合である。
【００３７】
特定の変形例によれば、上記持針器は、電動システムに接続されるように構成された端部を備える。
【図面の簡単な説明】
【００３８】
諸実施形態の実例の詳細かつ非包括的な説明
いくつかの非包括的な諸実施形態の実例に関連する以下の説明を、添付図面を参照して読むことによって、本発明をさらによく理解することができるであろう。
【図１】本発明に係る持針器の第１の詳細な実施形態の遠位端部の側面図を示す。
【図２】本発明に係る持針器のこの第１の詳細な実施形態に係る湾曲した針を支持する顎の正面図を示す。
【図３】本発明に係る持針器のこの第１の詳細な実施形態の分解全体図を示す。
【図４】本発明に係る持針器のこの第１の詳細な実施形態の第２顎の疑似３次元後面斜視図を示す。
【図５】本発明に係る持針器のこの第１の詳細な実施形態の第１顎の疑似３次元前面斜視図を示す。
【図６】本発明に係る持針器のこの第１の詳細な実施形態の第１顎の断面図を示す。
【図７】本発明に係る持針器のこの第１の詳細な実施形態の第１顎の疑似３次元前面斜視図を示す。
【図８】湾曲した針を有する本発明に係る持針器の疑似３次元後面斜視図を示す。
【図９】湾曲した針を有する本発明に係る持針器の正面図を示す。
【図１０】顎が開位置にある第２の詳細な実施形態の斜視図を示す。
【図１１】顎が閉位置にある第２の詳細な実施形態の斜視図を示す。
【図１２】顎が開位置にある第３の詳細な実施形態の斜視図を示す。
【図１３】顎が閉位置にある第３の詳細な実施形態の斜視図を示す。
【図１４】湾曲した針を有する本発明に係る第４の実施形態の斜視図を示す。
【図１５】顎が開位置にある第５の詳細な実施形態の斜視図を示す。
【図１６】顎が閉位置にある第５の詳細な実施形態の斜視図を示す。
【図１７】歯の埋め込みの様々な選択的実施形態の上面図を示す。
【図１８】歯の埋め込みの様々な選択的実施形態の上面図を示す。
【図１９】歯の埋め込みの様々な選択的実施形態の上面図を示す。
【図２０】歯の埋め込みの様々な選択的実施形態の上面図を示す。
【図２１】歯の様々な選択的実施形態の半径断面に沿った図を示す。
【図２２】歯の様々な選択的実施形態の半径断面に沿った図を示す。
【図２３】歯の様々な選択的実施形態の半径断面に沿った図を示す。
【図２４】歯の様々な選択的実施形態の半径断面に沿った図を示す。
【図２５】歯の様々な選択的実施形態の半径断面に沿った図を示す。
【図２６】歯の様々な選択的実施形態の半径断面に沿った図を示す。
【図２７】歯の様々な選択的実施形態の横断面に沿った図を示す。
【図２８】歯の様々な選択的実施形態の横断面に沿った図を示す。
【図２９】歯の様々な選択的実施形態の横断面に沿った図を示す。
【発明を実施するための形態】
【００３９】
第１の詳細な実施形態の詳細な説明
第１の詳細な実施形態を、図１〜図９を参照してより詳細に説明する。
【００４０】
第１の詳細な実施形態に係る持針器は、軸（３００）を有する第１同軸顎（１００）および第２同軸顎（２００）で構成される。
【００４１】
第１顎（１００）は、軸（１）のうち、連結リング（２）を備える遠位端部に配置された連結リング（４）に取り付けられる。
【００４２】
第１顎（１００）は、第２顎（２００）の方に向けられた平らな前面（１１１）を規定する円筒形の金属体（１１０）を有する。
【００４３】
この円筒体（１１０）は、３つの歯（１２０、１３０、１４０）が、上に取り付けられる。３つの歯（１２０、１３０、１４０）は、１２０°の角度で間隔を空けられているとともに前面（１１１）の周辺に配置される。
【００４４】
これらの歯（１２０、１３０、１４０）は、五角形の断面を有し、以下を備える。
‐円筒体（１１０）の周辺スカート部を伸ばすための第１半管状側面（１２１、１３１、１４１）。
‐半径平面の両側で円筒体（１１０）への接平面に対して３０°〜７０°の角度を成す第２側面および第３側面（１４２、１４３）。
‐第２側面および第３側面の稜線（１２２、１３２、１４３、１２３、１３３、１４３）を中央稜線（１３６）にそれぞれ接続する第４面および第５面（１２４、１２５）。
【００４５】
これらの中央稜線（１２６、１３６、１４６）は、第２顎の内側かつ第１側面（１２１、１３１、１４１）の反対側に位置している。半径平面は、これらの中央稜線（１３６）および中央稜線（１３６）の中線を通過する。
【００４６】
第２顎（２００）は同様の構成を有し、第１顎（１００）の歯（１２０、１３０、１４０）と同一の形状である３つの歯（２２０、２３０、２４０）を備え、固定された歯および移動する歯を６０°のずれによって交互に配置している。
【００４７】
第２顎（２００）は、軸（３００）の断面に対して相補的である多角形の断面の中央内腔（２９０）を有する。
【００４８】
固定体（１１０）および可動体（２１０）は、反対側の顎の歯それぞれに対し、溝（１５０、１６０、１７０。２５０、２６０、２７０）を設けており、該溝（１５０、１６０、１７０。２５０、２６０、２７０）の断面は反対側の顎の歯の断面に対して相補的であり、該溝（１５０、１６０、１７０。２５０、２６０、２７０）の深さは、固定顎（１００）および可動顎（２００）が閉位置にあるとき反対側の顎の歯が係合できるだけの深さとなっている。
【００４９】
顎（１００）の円筒体（１１０）を、軸（３００）の六角形の断面に相補的である六角形の断面の通路（１９０）が通り抜けており、それによって、円筒体（（１１０）がこの軸（３００）の長手方向に沿って動くことが可能になる。第２顎（２００）の可動体（２１０）は、この軸（３００）の端部で固定される。第１顎（１００）と第２顎（２００）との間の角度方向は、この第１の詳細な実施形態では固定される。
【００５０】
顎がそれぞれ３つの歯を有する実施形態において、湾曲した針は、連続した歯（２３０、１４０、２４０、１２０）と軸（３００）との間に収容され、歯および軸の空いているスペースに押し付けられることにより、安定した位置決めができ、それにより、針を完全に制御して動かすことが可能になる。
【００５１】
歯（２２０、２３０、２４０）は、多角形の断面を有する。示した例において、歯（２２０、２３０、２４０）は、それぞれ、５つの小面（２２１〜２２５、２３１〜２３２、２４２、２４４）を有する。
【００５２】
持針器の正面端部は、梨形状の取っ手を備えてもよく、それによって例えば以下の動きが可能になる。
取っ手に圧力を加えることによって第２顎（２００）を第１顎（１００）に対して間隔を空けた状態、または近づけた状態に移動させる。
取っ手の回転による持針器の回転移動。
取っ手の直線的な動きによる持針器の軸方向移動。
【００５３】
このため、持針器の移動は外科医の動作に似ており、したがって非常に直観的かつ正確に操作することができる。
【００５４】
腹腔鏡用の変形例の場合、取っ手は「銃」の形状を有するであろう。ロボット利用の変形例の場合、持針器の正面端部は取っ手を備えず、電動システムに結合されるであろう。
【００５５】
第２の詳細な実施形態の説明
図１０および図１１は、湾曲した針（４００）を保持する２つの固定顎（１００）および可動顎（２００）がプレス加工された板を切ることによって作られる、他の実施形態を図示している。
【００５６】
第１顎（１００）は、歯を形成するフレア（flarings）（１２０、１３０）によって、かつ、第２顎（２００）の歯（２２０、２３０）に相補的な形状である切り欠き（１５０）によって伸ばされた管状スカート部（１１０）を有する。
【００５７】
同様に、第２顎（２００）は、歯を形成するフレア（２２０、２３０）によって、かつ、第１顎（１００）の歯（１２０、１３０）に相補的な形状である切り欠き（２５０）によって伸ばされた管状スカート部（２１０）を有する。
【００５８】
歯と切り欠きを結ぶ領域は、端部（１８０、２８０）に関して変曲点を有し、針（４００）の支持面を規定するとともに、第１の詳細な実施形態の顎の横断面の役割を果たす。
【００５９】
第３詳細な実施形態の説明
図１２および図１３は、詳細な実施形態を図示している。顎は、それぞれ、管状スカート部（１１０、２１０）に切り込まれた４つの歯を有する。当該４つの歯は、接平面において三角形の断面を有し、かつ、反対側の顎の歯を受ける４つの相補的な形状の切り込みと交互に配置されている。
【００６０】
第２顎は、芯（３００）の周囲を角度を付けて回転し得る。伸縮バネ（５００）は、向かい合った歯を互いに向かって移動させるようになっている。
【００６１】
この変形例において、上部の顎の歯は、既に説明された変形例とは異なる初期位置にある。上部の顎の歯は、バネ（５００）によって第２顎（２００）に固定される。顎が閉じる場合、バネ（５００）は、針がスカート部の端部間に保持されるまで、反対側の歯に対してスライドしながら回転し得る。圧力が続くため、顎の円筒形部分は、針が上下から締め付けられるまで、降下し続ける。この構造は、複数の針を収容し得る。
【００６２】
第４の詳細な実施形態の説明
図１４は、顎が閉位置にある第４の詳細な実施形態の斜視図を示す。
【００６３】
顎（１００、２００）は、歯（２２０、１２０）が載る弾力的に変形可能な支持部（１８０、２８０）を有する。
【００６４】
この変形例では、歯は顎（１００、２００）内でスライドし得るため、種々の針を収容することができる。顎が閉じる際に、反対側の顎にある対の歯に接触する歯もある。針に接触する歯は、顎に引っ込む。可撓性材料（ゴム、シリコーンなど）で構成される支持部（１８０、２８０）は、顎が開く際にすべての歯が出て来るように、すべての歯にバネ機能を与える。
【００６５】
第５の詳細な実施形態の説明
図１５および図１６は、それぞれ開位置および閉位置にある顎を備えた第５の詳細な実施形態の斜視図を示す。
【００６６】
この変形例によれば、歯（１２０、１３０、１４０、２２０、２３０、２４０）には柔軟性があり、その弾力性によって針（４００）を内側に押す。
【００６７】
この変形例において、歯は、弾力的に変形し、種々の針に適合し得る。 
【００６８】
顎が閉じられると、何本かの歯は互いに離れて針の外周に位置し、何本かの歯は反対側の顎の溝に引き続き導かれる。
【００６９】
歯の埋め込み
図１７〜図２０は、歯の埋め込みの様々な選択的実施形態の上面図を示す。
【００７０】
図１７に示されるように、歯は、顎の端部に配置され得る。この場合、歯の外縁は、凹凸または中空なしに、顎の本体と一致する。
【００７１】
また、図１８に示されるように、歯は、顎の端部から後退させ得る。この場合、歯は、横の寸法を縮小する。
【００７２】
また、図１９に示されるように、歯は、顎の縁の外側に配置され、顎の近傍に位置する針をよりしっかり取り付け得る。
【００７３】
さらに、図２０に示されるように、歯は、針の取り付けの改善と左右の間隔の制限とを折衷するために、顎の端部をまたぐように配置され得る。
【００７４】
歯の断面
図２１〜図２６は、歯の様々な選択的実施形態の半径断面に沿った図を示す。
【００７５】
半径横断面において、歯は、以下を有してもよい。
【００７６】
図２１に示されるような、平らなまたは面取りされた頭頂を有する長方形の断面。
【００７７】
図２２に示されるような、丸みを帯びた上部を有する長方形の断面。
【００７８】
図２３に示されるような、広がった上部を有して針の保持を改善する長方形の断面。
【００７９】
図２４に示されるような、顎を閉じているあいだ針を中央の芯に持って行くための三角形の断面。
【００８０】
図２５に示されるような、歯の基部に向かって幅を広げることによって、顎が閉じているあいだ、針を中央に向かって確実に導く不等辺四辺形の断面。
【００８１】
図２６に示されるような、様々な針の大きさに適合可能な鋸壁形。
【００８２】
歯の断面
図２７〜図２９は、歯の様々な選択的実施形態の横断面に沿った図を示す。
【００８３】
当該断面は、 
図２７に示されるように円形であってもよいし、
図２８に示されるように、針の表面に対する支持体の中央端部となる、丸みを帯びた三角形であってもよいし、
図２９に示されるように、五角形であってもよい。
【図１】
2019526428.tif 000003
【図２】
2019526428.tif 000004
【図３】
2019526428.tif 000005
【図４】
2019526428.tif 000006
【図５】
2019526428.tif 000007
【図６】
2019526428.tif 000008
【図７】
2019526428.tif 000009
【図８】
2019526428.tif 000010
【図９】
2019526428.tif 000011
【図１０】
2019526428.tif 000012
【図１１】
2019526428.tif 000013
【図１２】
2019526428.tif 000014
【図１３】
2019526428.tif 000015
【図１４】
2019526428.tif 000016
【図１５】
2019526428.tif 000017
【図１６】
2019526428.tif 000018
【図１７】
2019526428.tif 000019
【図１８】
2019526428.tif 000020
【図１９】
2019526428.tif 000021
【図２０】
2019526428.tif 000022
【図２１】
2019526428.tif 000023
【図２２】
2019526428.tif 000024
【図２３】
2019526428.tif 000025
【図２４】
2019526428.tif 000026
【図２５】
2019526428.tif 000027
【図２６】
2019526428.tif 000028
【図２７】
2019526428.tif 000029
【図２８】
2019526428.tif 000030
【図２９】
2019526428.tif 000031
【国際調査報告】
2019526428.tif 000032
2019526428.tif 000033
2019526428.tif 000034
2019526428.tif 000035
2019526428.tif 000036
2019526428.tif 000037